(57)【要約】【課題】利用者の目覚めを促すために適したエアマットレスを提供すること。【解決手段】各々が独立してエアを保持する複数のエアセルと、前記複数のエアセルの各々の圧力を調整する圧力調整器と、を備え、前記圧力調整器は、前記複数のエアセルの各々を、利用者が前記エアセル上に居る状態で前記エアセル内のエア量を変化させたときに前記エアセル内のエアの変化量に対するエアセル内の圧力の変化率が変化する変化点の状態に設定する予備加圧（Ｓ１１〜Ｓ１５）と、前記予備加圧の後、前記複数のエアセルに順次エアを充てんし、かつ前記複数のエアセルから順次前記エアを排出する動的加圧（Ｓ２３）と、を行う。【選択図】図３
2016028663.tif 000002
【特許請求の範囲】
【請求項１】
各々が独立してエアを保持する複数のエアセルと、
前記複数のエアセルの各々の圧力を調整する圧力調整器と、を備え、
前記圧力調整器は、
前記複数のエアセルの各々を、利用者が前記エアセル上に居る状態で前記エアセル内のエア量を変化させたときに前記エアセル内のエアの変化量に対するエアセル内の圧力の変化率が変化する変化点の状態に設定する予備加圧と、
前記予備加圧の後、前記複数のエアセルに順次エアを充てんし、かつ前記複数のエアセルから順次前記エアを排出する動的加圧と、を行う、
エアマットレス。
【請求項２】
前記圧力調整器は、前記動的加圧の開始時刻を示す時刻情報を保持しており、前記開始時刻が到来するまでに前記予備加圧を行い、前記開始時刻が到来したときに前記動的加圧を行う、
請求項１に記載のエアマットレス。
【請求項３】
前記複数のエアセルは、利用者が横臥するための略矩形の横臥領域内に、当該横臥領域の長手方向に並んで配置されており、
前記圧力調整器は、前記動的加圧において、前記エアセルへのエアの充てんと前記エアセルからのエアの排出とを、前記複数のエアセルの並び順に行う、
請求項１又は２に記載のエアマットレス。
【請求項４】
前記エアマットレスは、さらに、
前記横臥領域の外側に前記横臥領域の２つの長辺に沿って配置されている複数の副エアセルを備え、
前記圧力調整器は、前記予備加圧において、前記複数の副エアセルにエアを略満充てんする、
請求項３に記載のエアマットレス。
【請求項５】
前記圧力調整器は、前記動的加圧を、前記エアセルに充てんしかつ前記エアセルから排出するエアの量を徐々に増加させながら繰り返す、
請求項１〜４の何れか１項に記載のエアマットレス。
【請求項６】
前記エアマットレスは、さらに、前記横臥領域において前記複数のエアセルの下部に配置され、前記エアポンプから吐出されるエアを保持する下部エアセルを備える、
請求項１〜５の何れか１項に記載のエアマットレス。
【発明の詳細な説明】
【技術分野】
【０００１】
本発明は、エアマットレスに関し、特には、エアマットレスの上で眠っている利用者の目覚めを促す技術に関する。
【背景技術】
【０００２】
従来、エアマットレスと呼ばれる、エアで膨らむマットレスが実用化されている。エアマットレスは、エアセルと呼ばれる気密性を有する袋を複数配置してなるエアマットを用いて構成され、エアポンプから吐出されたエアを前記エアセルのそれぞれに充てんすることによって前記エアマットにて利用者の体を支持可能なマットレスを形成する。
【０００３】
従来、前記複数のエアセルを不同に膨らませることによってエアマットの上面に凹凸及び上下運動を意図的に発生させ、それにより、利用者をマッサージするエアマットレスが周知となっている（例えば、特許文献１）。本明細書では、そのような凹凸及び上下運動を総称して、ウェーブ又はウェーブ動作と言う。単にウェーブ又はウェーブ動作と言う場合、エアセルを膨らませる順序は特には限定されない。
【０００４】
特許文献１は、ロータリーバルブを用いることにより、隣接するエアセルを順次滑らかに膨らませることができるエアマットを開示している。特許文献１のエアマットには、前記エアセルを足から首に向かって順次膨らませるモードや、前記エアセルを首から足に向かって順次膨らませるモードなど、異なるウェーブ動作のパターンに対応する複数のモードが設けられている。前記エアマットは、そのような複数のモードの中から、利用者によって選択されたモードに対応するウェーブ動作を行う。
【先行技術文献】
【特許文献】
【０００５】
【特許文献１】実開平６−４３９号公報
【発明の概要】
【発明が解決しようとする課題】
【０００６】
本発明者は、エアマットレスのウェーブ動作によって、前記エアマットレスの上で眠っている利用者の目覚めを促す技術を検討している。エアマットレスにウェーブ動作を発生させることは、例えば、特許文献１に記載の技術をもって可能である。
【０００７】
しかしながら、本発明者は、ウェーブ動作を目覚まし応用に用いる場合に、従来のマッサージ応用では考慮されない特有の課題があることを指摘する。例えば、起床事象が発生したときに遅滞なくウェーブ動作を開始することや、眠っている利用者を安全に保持することは、そのような課題の一例である。
【０００８】
本発明は、そのような課題を解決すべくなされたものであり、利用者の目覚めを促すために適したエアマットレスを提供することを目的とする。
【課題を解決するための手段】
【０００９】
上記目的を達成するために、本発明の一態様に係るエアマットレスは、各々が独立してエアを保持する複数のエアセルと、前記複数のエアセルの各々の圧力を調整する圧力調整器と、を備え、前記圧力調整器は、前記複数のエアセルの各々を、利用者が前記エアセル上に居る状態で前記エアセル内のエア量を変化させたときに前記エアセル内のエアの変化量に対するエアセル内の圧力の変化率が変化する変化点の状態に設定する予備加圧と、前記予備加圧の後、前記複数のエアセルに順次エアを充てんし、かつ前記複数のエアセルから順次前記エアを排出する動的加圧と、を行う。
【００１０】
このような構成によれば、前記予備加圧において前記エアセルを前記変化点の状態に設定しておくので、前記動的加圧の際に、利用者の目覚めを促すための前記エアセルの運動が直ちに開始される。これにより、起床事象が発生したときに、利用者は遅滞なく刺激を受けることができる。前記変化点の状態にある前記エアセルは、利用者の体重がかかっている部分ではエアが入っていないシート状になる。そのため、前記予備加圧を、例えば利用者の就寝前に行っておいても、利用者の寝心地への影響はほとんどない。
【００１１】
また、前記動的加圧の際に前記エアセルの運動が直ちに開始されるので、前記動的加圧の際に前記エアセルに充てんするエア量が少なくて済む。これにより、エアポンプの小型化や、騒音低減の効果も期待できる。
【００１２】
また、前記圧力調整器は、前記動的加圧の開始時刻を示す時刻情報を保持しており、前記開始時刻が到来するまでに前記予備加圧を行い、前記開始時刻が到来したときに前記動的加圧を行ってもよい。
【００１３】
このような構成によれば、設定時刻の到来を起床事象として、前記設定時刻が到来したときに遅滞なく、利用者に起床ための刺激を与えることができる。
【００１４】
また、前記複数のエアセルは、利用者が横臥するための略矩形の横臥領域内に、当該横臥領域の長手方向に並んで配置されており、前記圧力調整器は、前記動的加圧において、前記エアセルへのエアの充てんと前記エアセルからのエアの排出とを、前記複数のエアセルの並び順に行ってもよい。
【００１５】
このような構成によれば、前記利用者の目覚めを促す動作として、前記複数のエアセルを伝搬していく上下運動を発生させることができる。以下では、エアセルを並び順に膨らませることによって発生する上下運動のことを、狭義のウェーブ動作と言うことがある。
【００１６】
また、前記エアマットレスは、さらに、前記横臥領域の外側に前記横臥領域の２つの長辺に沿って配置されている複数の副エアセルを備え、前記圧力調整器は、前記予備加圧において、前記複数の副エアセルにエアを略満充てんしてもよい。
【００１７】
このような構成によれば、前記副エアセルによって前記利用者の体を前記横臥領域内に保持することができる。
【００１８】
また、前記圧力調整器は、前記動的加圧を、前記エアセルに充てんしかつ前記エアセルから排出するエアの量を徐々に増加させながら繰り返してもよい。
【００１９】
このような構成によれば、例えば前記利用者がなかなか起床しない場合に、前記利用者に徐々に増加する刺激を与えることにより前記利用者の目覚めを促すことができる。
【００２０】
また、前記エアマットレスは、さらに、前記横臥領域において前記複数のエアセルの下部に配置され、前記エアポンプから吐出されるエアを保持する下部エアセルを備えてもよい。
【００２１】
このような構成によれば、一般的なエアベッドで用いられる前記下部エアセルの上に、前記複数のエアセルを配置してなるエアマットレスにおいて、前述した特徴的な予備加圧及び動的加圧を行うことができる。
【発明の効果】
【００２２】
本発明の一態様に係るエアマットレスによれば、利用者の目覚めを促すために適したエアマットレスを提供することができる。
【図面の簡単な説明】
【００２３】
【図１】実施の形態１に係るエアマットレスを用いたベッドの一例を示す分解斜視図である。
【図２】実施の形態１に係るエアマットレスの機能的な構成の一例を示すブロック図である。
【図３】実施の形態１に係るエアマットレスの動作の一例を示すフローチャートである。
【図４】実施の形態１に係るエアマットの圧力の変化点を説明する図である。
【図５】実施の形態２に係るエアマットの構成の一例を示す上面図である。
【図６】実施の形態２に係るエアマットの使用例を示す正面図である。
【図７】変形例に係るエアマットレスの機能的な構成の一例を示すブロック図である。
【発明を実施するための形態】
【００２４】
以下、本発明の実施の形態について、図面を用いて詳細に説明する。なお、以下で説明する実施の形態は、いずれも本発明の一具体例を示すものである。以下の実施の形態で示される数値、形状、材料、構成要素、構成要素の配置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００２５】
（実施の形態１）
実施の形態１に係るエアマットレスについて、図１〜４を参照して説明する。
【００２６】
図１は、実施の形態１に係るエアマットレスを用いたベッドの一例を示す分解斜視図である。実施の形態１では、一般的なエアマットの上に、利用者の目覚めを促すための上下運動（前述のウェーブ動作）を行うエアマットを配置した構造が例示される。
【００２７】
図１に示されるように、ベッド１００は、エアマットレス１１０、ベース１２０、及びフレーム１３０を備えている。また、図示はしていないが、エアマットレス１１０の上に、さらに、エアで膨らまない通常のマットレス、ベッドシーツ、及びベッドカバーなどが配置されてもよい。
【００２８】
以下の説明では、ＸＹ平面においてフレーム１３０の内方に位置する略矩形の領域を横臥領域１４０と呼ぶ。横臥領域１４０は、利用者が横臥するための領域である。図１の例では、利用者は、横臥領域１４０内でＹ方向に横たわることを想定している。
【００２９】
ベース１２０は、ベース１２０の上部に配置される部材及び利用者を支えるため部材であり、例えば、木材又は金属などで構成されてもよい。
【００３０】
フレーム１３０は、ベース１２０と嵌まり合うことによりエアマットレス１１０の周縁部を支持する部材であり、例えば、ウレタンなどの発泡材で構成されてもよい。
【００３１】
エアマットレス１１０は、エアマット１０、１２、圧力調整器２０、及びエアホース３１、３２から構成される。エアホース３１は、エアホース３０に束ねられていてもよい。
【００３２】
エアマット１０は、複数のエアセル１１を連結して構成される。複数のエアセル１１は、横臥領域１４０に、例えばＹ方向に、並んで配置されている。個々のエアセル１１は、気密性を有する袋であり、例えばウレタンなどのシート材で構成されてもよい。
【００３３】
エアマット１２は、少なくとも１つのエアセル１３から構成される。エアセル１３は、横臥領域１４０において、複数のエアセル１１の下方に配置されている。エアセル１３は、気密性を有する袋であり、例えばウレタンなどのシート材で構成されてもよい。
【００３４】
圧力調整器２０は、エアホース３１、３２を介して、エアセル１１、１３にエアを充てんし、かつエアセル１１、１３からエアを排出することにより、エアセル１１、１３の各々の圧力を調整する装置である。圧力調整器２０は、例えば、利用者からリモコン６０を介して行われる指示に従って、エアセル１１、１３の圧力調整を行ってもよい。
【００３５】
図２は、エアマットレス１１０の機能的な構成の一例を示すブロック図である。
【００３６】
図２に示されるように、エアマットレス１１０は、圧力調整器２０の内部に、エアポンプ４０、選択バルブ４１、４２、排気バルブ４３、４４、圧力センサ４５、リモコンインターフェース４６、及びコントローラ５０を有している。図２の例では、エアホース３１、選択バルブ４１、及び排気バルブ４３は、エアセル１１と一対一に設けられている。
【００３７】
エアポンプ４０は、コントローラ５０から運転の開始と停止とを制御され、エアを吐出するコンプレッサである。
【００３８】
選択バルブ４１の各々は、コントローラ５０から開閉を制御されるバルブであり、一端がエアポンプ４０に接続され、他端が対応するエアホース３１に接続されている。選択バルブ４１が開いている状態でエアポンプ４０を運転することにより、エアポンプ４０から吐出されたエアが対応するエアホース３１を介して対応するエアセル１１に充てんされる。
【００３９】
選択バルブ４２は、コントローラ５０から開閉を制御されるバルブであり、一端がエアポンプ４０に接続され、他端がエアホース３２に接続されている。選択バルブ４２が開いている状態でエアポンプ４０を運転することにより、エアポンプ４０から吐出されたエアがエアホース３２を介してエアセル１３に充てんされる。
【００４０】
排気バルブ４３は、コントローラ５０から開閉を制御されるバルブであり、一端が対応する選択バルブ４１からエアセル１１までのエアの流通経路に接続され、他端が大気に開放されている。排気バルブ４３が開いているときに、対応するエアセル１１に充てんされていたエアが対応するエアホース３１を介して排出される。
【００４１】
排気バルブ４４は、コントローラ５０から開閉を制御されるバルブであり、一端が選択バルブ４２からエアセル１３までのエアの流通経路に接続され、他端が大気に開放されている。排気バルブ４４が開いているときに、エアセル１３に充てんされていたエアがエアホース３２を介して排出される。
【００４２】
圧力センサ４５は、エアセル１１、１３の中から選択バルブ４１、４２を介して連通されるエアセルの内部の圧力を測定するセンサであり、エアポンプ４０から選択バルブ４１、４２までのエアの流通経路に接続されている。圧力センサ４５は、前記エアセルの内部の逐次の圧力値を示す圧力信号を出力する。
【００４３】
リモコンインターフェース４６は、リモコン６０から、利用者の指示を表す信号を受信する受信器である。当該信号は、例えば、赤外線、超音波、又は電波で送信されてもよく、また有線で送信されてもよい。リモコンインターフェース４６は、受信された信号に対応するリモコン信号を出力する。
【００４４】
コントローラ５０は、エアポンプ４０の運転、選択バルブ４１、４２の開閉、及び排気バルブ４３、４４の開閉を制御するコントローラである。コントローラ５０は、例えば、ＣＰＵ（Ｃｅｎｔｒａｌ  Ｐｒｏｃｅｓｓｉｎｇ  Ｕｎｉｔ）５１、ＲＡＭ（Ｒａｎｄｏｍ  Ａｃｃｅｓｓ  Ｍｅｍｏｒｙ）５２、ＲＯＭ（Ｒｅａｄ  Ｏｎｌｙ  Ｍｅｍｏｒｙ）５３、及びＩ／Ｏ（Ｉｎｐｕｔ／Ｏｕｔｐｕｔ）ポート５４を有するマイコンで構成されてもよい。
【００４５】
マイコンで構成されるコントローラ５０では、ＣＰＵ５１が、ＲＯＭ５３に記憶されている所定のプログラムを、ＲＡＭ５２を作業用のメモリとして用いて実行する。それにより、コントローラ５０は、圧力センサ４５及びリモコンインターフェース４６から、Ｉ／Ｏポート５４を介して、それぞれ前記圧力信号、前記リモコン信号を取得する。また、エアポンプ４０、選択バルブ４１、４２、及び排気バルブ４３、４４の各々へ、Ｉ／Ｏポート５４を介して制御信号を供給する。
【００４６】
圧力調整器２０には、さらに、前記制御信号を増幅するためのドライバ回路（図示せず）が設けられていてもよい。
【００４７】
次に、上述のように構成されるエアマットレス１１０の動作について、フローチャートを参照しながら、詳細に説明する。
【００４８】
図３は、エアマットレス１１０の動作の一例を示すフローチャートである。この動作は、例えば、利用者によるリモコン６０の操作によって、エアマットレス１１０が目覚ましモードにセットされることにより開始される。目覚ましモードでは、あらかじめ定められた時刻の到来が、起床事象の一例である。当該時刻は、例えば、利用者によるリモコン６０の操作によって、コントローラ５０に設定されるものとする。
【００４９】
図３には、起床事象が発生する前に行われる予備加圧と、起床事象が発生したときに行われる動的加圧とが示されている。前記予備加圧は、例えば、エアマットレス１１０が目覚ましモードにセットされるとすぐに行われ、前記動的加圧は、設定された時刻が到来したときに行われる。前記動的加圧では、前述のウェーブ動作が行われる。
【００５０】
予備加圧では、まず、利用者が在床か（つまり、利用者がエアセル１１の上に居るか）否かが判断される（Ｓ１１）。利用者の在床を判断するための方法は特には限定されないが、一例として、圧力センサ４５でエアセル１３の圧力を測定し、当該圧力が、人の動きに対応する程度の速さで変化することにより、利用者が在床していると判断してもよい。その他にも、ベッド１００にかかる荷重を検出する荷重センサ、エアマットレス１１０の上の静電容量を検出する静電容量センサ、又はエアマットレス１１０の上の熱分布を検出する焦電センサを用いて、前記荷重、前記静電容量、又は前記熱分布が変化することにより、利用者の在床を判断してもよい。
【００５１】
利用者がエアセル１１の上に居ると判断されると（Ｓ１１でＹＥＳ）、各エアセル１１が、変化点の状態に設定される（Ｓ１２〜Ｓ１４）。当該変化点について、図４を参照して、詳しく説明する。
【００５２】
図４は、利用者がエアセル１１の上に居る状態での、エアの充てん量に対するエアセル１１の内部の圧力を示すグラフである。
【００５３】
エアセル１１が完全にしぼんでいる状態Ｐ１からエアを充てんしていくと、利用者の体重がかかっていないエアセル１１の部分が、まず膨らみ始める。状態Ｐ１から、利用者の体重がかかっていない部分がエアで満たされた状態Ｐ２に至るまで、エアセル１１の内部の圧力はエアを充てんしてもほとんど上昇しない。
【００５４】
状態Ｐ２を超えてさらにエアを充てんすると、充てんされたエアの圧力によって利用者の体が持ち上がる。そうなると、状態Ｐ２から、エアセル１１に上限の圧力でエアが充てんされた満充てんの状態Ｐ３に至るまで、エアセル１１の内部の圧力は充てんされるエアの量に応じて明確に上昇する。
【００５５】
このように、利用者がエアセル１１の上に居る状態でエアセル１１にエアを充てんするとき、充てんされるエアの量に対する圧力の変化率が所定のしきい値を超えて変化する点が特定される。この点が、前記変化点に対応する。エアセル１１からエアを排出するときにも、同じ変化点が特定される。
【００５６】
すなわち、前記変化点は、利用者がエアセル１１の上に居る状態でエアセル１１内のエア量を変化させたときに前記エアセル１１内のエアの変化量に対するエアセル１１の圧力の変化率が変化する点として定義される。
【００５７】
前記変化点の状態にあるエアセル１１にさらにエアを充てんすると、利用者の体は直ちに持ち上がる。また、前記変化点の状態にあるエアセル１１は、利用者の体重がかかっている部分ではエアが入っていないシート状になるので、利用者の寝心地への影響もほとんどない。
【００５８】
そこで、エアマットレス１１０では、利用者の寝心地を損なわず、かつ設定時刻が到来したときに直ちにウェーブ動作を開始できるように、設定時刻が到来する前に、エアセル１１を前記変化点の状態に設定しておく。
【００５９】
エアセル１１を前記変化点の状態に設定するための方法は特には限定されないが、一例として、利用者がエアセル１１上に居る状態で、エアセル１１へのエアの充てん及びエアセル１１からのエアの排出のうちの何れか一方を行いながら、圧力センサ４５からエアセル１１の圧力値を逐次に取得し、前記圧力値の変化率が所定のしきい値よりも大きく変化したときに、前記エアの充てん及び排出のうちの前記一方を停止してもよい。
【００６０】
また、エアマットレス１１０が同じ利用者によって繰り返し利用される場合は、エアの充てん又は排出のうちの前記一方を行った時間をコントローラ５０にて記憶しておいてもよい。そのような時間は、変化点の状態に設定するためにエアセル１１に充てんし又は排出するエアの量に対応する。予備加圧を再度行う際には、エアの充てん及び排出のうちの前記一方を、コントローラ５０に記憶されている前記時間行うことで、エアセル１１を前記変化点の状態に設定することもできる。
【００６１】
再び図３を参照して、エアマットレス１１０は、予備加圧を行った後、設定時刻が到来するまで待機している（Ｓ２１でＮＯ）。
【００６２】
設定時刻が到来すると（Ｓ２１でＹＥＳ）、まず、ウェーブ動作のためにエアセル１１に充てんされかつエアセル１１から排出されるべきエアの量が初期値に設定される（Ｓ２２）。当該エアの量は、例えば、エアセル１１にエアを充てんする時間及びエアセル１１からエアを排出する時間によって設定されてもよい。
【００６３】
そして、エアセル１１に順次、設定された量のエアを充てんしかつ排出していくことにより、エアマット１０の上面にウェーブを発生させる（Ｓ２３）。利用者が起床しない場合（Ｓ２４でＮＯ）、エア量の設定値が増やされ（Ｓ２５）、より多くの量のエアによって動的加圧が繰り返される。これにより、利用者は、徐々に大きくなっていく刺激によって目覚めを促される。
【００６４】
利用者が起床したと判断されると（Ｓ２４でＹＥＳ）、全てのエアセル１１からエアが排出される（Ｓ２６）。利用者の起床を判断する方法は特には限定されないが、一例として、リモコン操作による目覚ましモードの解除か、又は、利用者の離床動作に対応する程度の速さ及び大きさでエアセル１１に生じる圧力の低下を検出することによって、利用者が起床したと判断してもよい。
【００６５】
以上説明したように、エアマットレス１１０によれば、予備加圧においてエアセル１１を変化点の状態に設定しておくので、動的加圧の際にエアセル１１でのウェーブ動作が直ちに開始される。これにより、設定時刻の到来により遅滞なくウェーブ動作を開始することが可能になる。前記変化点の状態にあるエアセル１１は、利用者の体重がかかっている部分ではエアが入っていないシート状になるので、利用者の寝心地への影響はほとんどない。
【００６６】
また、予備加圧によって、前記動的加圧の際にエアセル１１でのウェーブ動作が直ちに開始されるので、前記動的加圧の際にエアセル１１に充てんするエア量が少なくて済む。これにより、エアポンプの小型化や、騒音低減の効果も期待できる。
【００６７】
（実施の形態２）
実施の形態２に係るエアマットレスについて、図５、６を参照して説明する。実施の形態２に係るエアマットレスは、実施の形態１に係るエアマットレスと比べて、ウェーブ動作を行うためのエアマットに、眠っている利用者を安全に保持するための構成が追加される点が異なっている。
【００６８】
図５は、実施の形態２に係るエアマット１４の構成の一例を示す上面図である。
【００６９】
図５に示されるように、エアマット１４は、図１のエアマット１０に、横臥領域１４０の外側でかつ横臥領域１４０の２つの長辺に沿って、副エアセル１５を追加して構成される。エアセル１１がエアホース３１で圧力調整器２０に接続されているのと同様に、副エアセル１５もまた図示していないエアホースで圧力調整器２０に接続されている。副エアセル１５には、前述した予備加圧において、略満充てんの状態にエアが充てんされる。
【００７０】
図６は、予備加圧の後のエアマット１４の使用例を示す正面図である。前述したように、予備加圧において、エアセル１１は、変化点の状態に設定され、利用者の体重がかかっていない部分はエアで満たされ、利用者の体重がかかっている部分はエアが入っていないシート状になる（図４の状態Ｐ２）。この状態では、エアセル１１のエアが入っている部分は、利用者の寝返りなどの動きに伴って容易に移動する。
【００７１】
そこで、図６に示されるように、利用者の横臥領域１４０からの逸脱（例えば、ベッドからの転落）を防止するために、副エアセル１５を設ける。これにより、利用者の体は、利用者が眠っている間も、副エアセル１５によって安全に保持される。
【００７２】
（変形例）
以上、本発明の実施の形態に係るエアマットレスについて説明したが、本発明は、この実施の形態に限定されるものではない。本発明の趣旨を逸脱しない限り、当業者が思いつく各種変形を本実施の形態に施した形態は、本発明の範囲内に含まれ得る。
【００７３】
例えば、圧力調整器の構成は、図２に示される圧力調整器２０の構成には限定されない。図７に示される圧力調整器２１のように、排気バルブ４３、４５の代わりに、排気バルブ４７を設けてもよい。排気バルブ４７は、エアポンプ４０から選択バルブ４１、４２までのエアの流通経路に接続され、エアポンプ４０が停止している状態で、選択バルブ４１、４２を介して、対応するエアマット１１、１３内のエアを排出する。
【００７４】
また、図示はしていないが、選択バルブ４１、４２を、エアセル１１、１３のうちの１つのエアセルとエアポンプ４０とを選択的に接続するロータリーバルブで置き換えても構わない。
【００７５】
このように、圧力調整器には、エアセル１１、１３の各々の圧力を調整するための、周知のあらゆる構成を採用することができる。
【００７６】
また、動的加圧では、エアセル１１の並び順にエアを充てんしかつ排出していく、狭義のウェーブ動作を行ってもよい。また、狭義のウェーブ動作に代えて、若しくは、狭義のウェーブ動作に加えて、エアセル１１にランダムな順序でエアを充てんし排出する動作を行ってもよい。また、コントローラに複数の順序パターンを記憶しておき、利用者によって選択される順序パターンで動的加圧を行ってもよい。どのような順序で動的加圧を行うにしても、予備加圧が行われているために、動的加圧が開始されると、利用者はエアセルによって直ちに持ち上げられ、目覚めを促すための刺激が遅滞なく与えられる。
【００７７】
さらにまた、動的加圧を開始するための起床事象は、設定時刻の到来には限定されない。例えば、火災などの非常事態の発生は起床事象の他の一例である。非常事態の発生時に、利用者に目覚めを促すための刺激を遅滞なく与えられることは、実用上極めて大きな意義を有する。
【産業上の利用可能性】
【００７８】
本発明は、利用者の目覚めを促すために適したエアマットレスとして、一般家庭、医療施設、介護施設、及び宿泊施設などにおいて、広く利用できる。
【符号の説明】
【００７９】
１０、１２、１４  エアマット
１１、１３、１５  エアセル
１５  副エアセル
２０  圧力調整器
３０、３１、３２  エアホース
４０  エアポンプ
４１、４２  選択バルブ
４３、４４、４７  排気バルブ
４５  圧力センサ
４６  リモコンインターフェース
５０  コントローラ
５１  ＣＰＵ
５２  ＲＡＭ
５３  ＲＯＭ
５４  Ｉ／Ｏポート
６０  リモコン
１００  ベッド
１１０  エアマットレス
１２０  ベース
１３０  フレーム
１４０  横臥領域
【図１】
2016028663.tif 000003
【図２】
2016028663.tif 000004
【図３】
2016028663.tif 000005
【図４】
2016028663.tif 000006
【図５】
2016028663.tif 000007
【図６】
2016028663.tif 000008
【図７】
2016028663.tif 000009